【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
付加情報を有する画像を取得する画像取得部と、
前記取得した画像を解析して、人物の顔が含まれるか否かを判定する顔判定処理部と
前記顔判定部により前記取得した画像に人物の顔が含まれると判定した場合において、前記取得した画像が撮影された場所に関する撮影場所情報と、前記取得した画像が撮影された日時に関する撮影日時情報とが、前記取得した画像の付加情報に含まれるとき、前記判定した人物の顔に関する情報と、前記撮影場所情報と、前記撮影日時情報とを関連付けてデータベースに登録する登録処理部と、
を備えた情報処理装置。
【請求項２】
前記顔判定部により前記取得した画像に人物の顔が含まれると判定した場合において、前記取得した画像が撮影された場所に関する撮影場所情報が、前記取得した画像の付加情報に含まれず、一方、前記取得した画像が撮影された日時に関する撮影日時情報は、前記取得した画像の付加情報に含まれるとき、前記判定した人物の顔に関する情報と、前記撮影日時情報とから、前記データベースを照合する情報照合部と、
前記情報照合部の前記照合により、前記判定した人物の顔に関する情報と、前記撮影日時情報とに関連付けられた撮影場所情報が発見されたとき、前記発見された撮影場所情報により前記取得した画像の付加情報を更新する情報更新部と、
を備えた請求項１に記載の情報処理装置。
【請求項３】
コンピュータに実行させるための情報処理方法であって、
付加情報を有する画像を取得する画像取得ステップと、
前記取得した画像を解析して、人物の顔が含まれるか否かを判定する顔判定処理ステップと、
前記顔判定ステップにて前記取得した画像に人物の顔が含まれると判定した場合において、前記取得した画像が撮影された場所に関する撮影場所情報と、前記取得した画像が撮影された日時に関する撮影日時情報とが、前記取得した画像の付加情報に含まれるとき、前記判定した人物の顔に関する情報と、前記撮影場所情報と、前記撮影日時情報とを関連付けてデータベースに登録する登録処理ステップと、
を有する情報処理方法。
【請求項４】
前記顔判定ステップにて前記取得した画像に人物の顔が含まれると判定した場合において、前記取得した画像が撮影された場所に関する撮影場所情報が、前記取得した画像の付加情報に含まれず、一方、前記取得した画像が撮影された日時に関する撮影日時情報は、前記取得した画像の付加情報に含まれるとき、前記判定した人物の顔に関する情報と、前記撮影日時情報とから、前記データベースを照合する情報照合ステップと、
前記情報照合ステップでの前記照合により、前記判定した人物の顔に関する情報と、前記撮影日時情報とに関連付けられた撮影場所情報が発見されたとき、前記発見された撮影場所情報により前記取得した画像の付加情報を更新する情報更新ステップと、
を有する請求項３に記載の情報処理方法。
【請求項５】
請求項３または請求項４に記載の情報処理方法をコンピュータに実行させるためのプログラムを記録した非一次記録媒体。
【手続補正２】
【補正対象書類名】明細書
【補正対象項目名】０００１
【補正方法】変更
【補正の内容】
【０００１】
本開示は、情報処理装置に関する。

【手続補正３】
【補正対象書類名】明細書
【補正対象項目名】０００６
【補正方法】変更
【補正の内容】
【０００６】
本発明が解決しようとする課題は、撮影場所情報が記録されていない画像であっても、撮影場所を推定することである。
【手続補正４】
【補正対象書類名】明細書
【補正対象項目名】０００７
【補正方法】変更
【補正の内容】
【０００７】
本発明の第一の発明にかかる情報処理装置は、付加情報を有する画像を取得する画像取得部と、前記取得した画像を解析して、人物の顔が含まれるか否かを判定する顔判定処理部と前記顔判定部により前記取得した画像に人物の顔が含まれると判定した場合において、前記取得した画像が撮影された場所に関する撮影場所情報と、前記取得した画像が撮影された日時に関する撮影日時情報とが、前記取得した画像の付加情報に含まれるとき、前記判定した人物の顔に関する情報と、前記撮影場所情報と、前記撮影日時情報とを関連付けてデータベースに登録する登録処理部と、を備える。

【手続補正５】
【補正対象書類名】明細書
【補正対象項目名】０００８
【補正方法】変更
【補正の内容】
【０００８】
本発明の第二の発明にかかる情報処理方法は、コンピュータに実行させるための情報処理方法であって、付加情報を有する画像を取得する画像取得ステップと、前記取得した画像を解析して、人物の顔が含まれるか否かを判定する顔判定処理ステップと、前記顔判定ステップにて前記取得した画像に人物の顔が含まれると判定した場合において、前記取得した画像が撮影された場所に関する撮影場所情報と、前記取得した画像が撮影された日時に関する撮影日時情報とが、前記取得した画像の付加情報に含まれるとき、前記判定した人物の顔に関する情報と、前記撮影場所情報と、前記撮影日時情報とを関連付けてデータベースに登録する登録処理ステップと、を有する。

【手続補正６】
【補正対象書類名】明細書
【補正対象項目名】０００９
【補正方法】変更
【補正の内容】
【０００９】
本発明によれば、撮影場所情報が記録されていない画像であっても、撮影場所を推定することができる。

【手続補正７】
【補正対象書類名】明細書
【補正対象項目名】００１１
【補正方法】変更
【補正の内容】
【００１１】
本開示は、ＧＰＳ情報や撮影場所のメタデータのない画像であっても、画像に映っている人物の人物認証により自動で撮影場所を特定するデジタル画像データ編集及び分類装置に関する。
以下、幾つかの実施形態について添付の図面を参照して説明する。なお、各図面において同一の符号は同一の構成要素または同様の作用、動作をなすものを表す。
【手続補正８】
【補正対象書類名】明細書
【補正対象項目名】００３８
【補正方法】変更
【補正の内容】
【００３８】
以上のように、本開示にかかるデジタル画像データ編集及び分類は、画像を撮影場所ごとに分類するシステムにおいて、入力された画像を解析してあらかじめ登録されたデータベースと照合して顔の人物を特定する人物認証手段と、人物認証手段で特定した人物と、入力画像から取得された撮影日時場所情報から、その人物のスケジュールを更新する人物スケジュール更新手段と、人物スケジュールデータベースと照合して誰がいつ何処にいたかを管理する人物スケジュール管理手段と、入力画像から撮影場所の情報が取得できなかった場合には、撮影日時情報と人物認証手段で特定した人物及び、人物スケジュール管理手段で管理されているその人物のスケジュール情報から、入力画像の撮影場所を特定する撮影場所特定手段によって、映っている人物の認証を行い、その人物のスケジュールを適宜更新していく。映っている人物の認証を行い、その人物のスケジュールを適宜更新していくことで、撮影場所のメタデータがない画像であっても、撮影日時と人物のスケジュールから、その撮影場所を推定することができる。
上述の通り、本発明は好ましい実施例により詳細に説明されるが、本発明はこれらに限定されるものではなく、特許請求の範囲に記載された本発明の技術的範囲内において好ましい変形例及び修正例が可能であることは当業者にとって自明なことであろう。
【手続補正９】
【補正対象書類名】明細書
【補正対象項目名】００３９
【補正方法】変更
【補正の内容】
【００３９】
本開示にかかる情報処理装置は、撮影場所のメタデータがない画像であっても、撮影日時と人物のスケジュールから、その撮影場所を特定することが必要な用途に適用できる。